(57)【特許請求の範囲】
【請求項１】
床下構造物の外周部を囲うように断熱部材を配設するようにした床下構造物の断熱構造において、前記断熱部材を、床構造部材に固定される支持部材に背面を支持するように取り付けられる固定側断熱部材と、該固定側断熱部材に端部を嵌合することにより、固定側断熱部材と収納容器本体との間で不動に支持されるとともに、収納容器本体を除去した状態で、床下構造物の開口の中心側に向けて水平方向に移動させることにより、固定側断熱部材から離脱可能にした可動側断熱部材とで分割構成したことを特徴とする床下構造物の断熱構造。
【請求項２】
可動側断熱部材の端部の嵌合部を構成する下面及び鉛直面を下方及び外方側から支持する上面及び鉛直面を固定側断熱部材の端部に備えてなることを特徴とする請求項１記載の床下構造物の断熱構造。
【請求項３】
可動側断熱部材の端部の嵌合部を構成する下面及び鉛直面を、それぞれ段部を設けて構成するとともに、これに対応して固定側断熱部材の端部に備えた上面及び鉛直面を構成し、嵌合部に断熱部材の外周側と内周側とを一直線状に結ぶ当接面が生じないようにしたことを特徴とする請求項２記載の床下構造物の断熱構造。
【発明の詳細な説明】
【技術分野】
【０００１】
本発明は、床下収納庫や床下点検口（本明細書において、包括して「床下構造物」という。）の断熱構造に関し、特に、床下収納庫の収納容器本体の外周部を囲うように断熱部材を配設するようにした床下収納庫や床下点検口の点検口の外周部を囲うように断熱部材を配設するようにした床下点検口の断熱構造に関するものである。
【背景技術】
【０００２】
従来、例えば、床下収納庫においては、床下収納庫を介して、冷房や暖房の熱が失われることを防止するために、床下収納庫の蓋部に断熱材を配設するとともに、収納容器本体の外周部を囲うように断熱部材を配設するようにした床下収納庫の断熱構造が提案されている（例えば、特許文献１参照。）。
【先行技術文献】
【特許文献】
【０００３】
【特許文献１】特開２００４−２９３０４１号公報
【発明の概要】
【発明が解決しようとする課題】
【０００４】
ところで、この従来の床下収納庫の断熱構造において、収納容器本体の外周部を囲うように配設される断熱部材は、床構造部材である根太に直接取り付けるようにされているため、支持強度の関係から高さ方向の寸法を大きくすることができず、このため、断熱性能が低いという問題があった。
【０００５】
この問題点に対処するため、例えば、図１に示すように、床構造部材Ｆである根太Ｊに固定される支持部材Ｓに背面を支持するように断熱部材２を取り付けることによって、断熱部材２の高さ方向の寸法を大きくし、断熱性能を高めることが考えられるが、この場合、支持部材Ｓ及び断熱部材２からなる断熱構造によって、床下収納庫の開口の四周が基礎表面の近傍まで囲まれることとなる。
このため、点検のために人が床下収納庫の開口から床下に入ることができなくなり、床下収納庫を床下点検口に兼用できないという新たな問題が生じることとなった。
【０００６】
また、床下収納庫のほか、同様の構造が採用される床下点検口の断熱構造においても、同じ問題が生じることが考えられる。
【０００７】
本発明は、上記の床下収納庫や床下点検口の断熱構造の有する問題点に鑑み、断熱部材の高さ方向の寸法を大きくし、断熱性能を高めながら、点検のために人が開口から床下に入る際の障害とならないようにした床下構造物の断熱構造を提供することを目的とする。
【課題を解決するための手段】
【０００８】
上記目的を達成するため、本発明の床下構造物の断熱構造は、床下構造物の外周部を囲うように断熱部材を配設するようにした床下構造物の断熱構造において、前記断熱部材を、床構造部材に固定される支持部材に背面を支持するように取り付けられる固定側断熱部材と、該固定側断熱部材に端部を嵌合することにより、固定側断熱部材と収納容器本体との間で不動に支持されるとともに、収納容器本体を除去した状態で、床下構造物の開口の中心側に向けて水平方向に移動させることにより、固定側断熱部材から離脱可能にした可動側断熱部材とで分割構成したことを特徴とする。
【０００９】
この場合において、可動側断熱部材の端部の嵌合部を構成する下面及び鉛直面を下方及び外方側から支持する上面及び鉛直面を固定側断熱部材の端部に備えるようにすることができる。
【００１０】
また、可動側断熱部材の端部の嵌合部を構成する下面及び鉛直面を、それぞれ段部を設けて構成するとともに、これに対応して固定側断熱部材の端部に備えた上面及び鉛直面を構成し、嵌合部に断熱部材の外周側と内周側とを一直線状に結ぶ当接面が生じないようにすることができる。
【発明の効果】
【００１１】
本発明の床下構造物の断熱構造によれば、床下構造物の外周部を囲うように配設するようにした断熱部材を、床構造部材に固定される支持部材に背面を支持するように取り付けられる固定側断熱部材と、該固定側断熱部材に端部を嵌合することにより、固定側断熱部材と収納容器本体との間で不動に支持される可動側断熱部材とで構成することにより、断熱部材の高さ方向の寸法を大きくし、断熱性能を高めることができる。
そして、収納容器本体を除去した状態で、分割構成した断熱部材の可動側断熱部材を、床下構造物の開口の中心側に向けて水平方向に移動し、固定側断熱部材から離脱させることによって、支持部材及び断熱部材からなる断熱構造がない箇所を形成し、点検のために人が開口から床下に入る際の障害とならないようにすることができる。
【００１２】
また、可動側断熱部材の端部の嵌合部を構成する下面及び鉛直面を下方及び外方側から支持する上面及び鉛直面を固定側断熱部材の端部に備えるようにすることにより、可動側断熱部材を、固定側断熱部材と収納容器本体との間で確実に不動に支持することができる。
【００１３】
また、可動側断熱部材の端部の嵌合部を構成する下面及び鉛直面を、それぞれ段部を設けて構成するとともに、これに対応して固定側断熱部材の端部に備えた上面及び鉛直面を構成し、嵌合部に断熱部材の外周側と内周側とを一直線状に結ぶ当接面が生じないようにすることにより、固定側断熱部材と可動側断熱部材との嵌合部における通気を確実に遮断し、断熱性能を一層高めることができる。
【図面の簡単な説明】
【００１４】
【図１】床下収納庫の断熱構造を示す説明図である。
【図２】本発明の床下収納庫の断熱構造に用いる断熱部材の一実施例を示し、（ａ）は平面図、（ｂ）は一部断面の右側面図、（ｃ）は（ａ）のＸ−Ｘ断面図である。
【図３】同断熱部材の可動側断熱部材を示し、（ａ）は平面図、（ｂ）は正面図（内周側から見た図）、（ｃ）は背面図（外周側から見た図）、（ｄ）は右側面図、（ｅ）は（ｂ）のＹ−Ｙ断面図である。
【発明を実施するための形態】
【００１５】
以下、本発明の床下構造物の実施の形態を、図面に基づいて説明する。
【００１６】
図２に、本発明の床下構造物の断熱構造に用いる断熱部材の一実施例を示す。
この断熱部材２は、床下構造物としての床下収納庫１の収納容器本体１１の外周部を囲うように配設するようにした断熱部材２を、図１に示した床下収納庫の断熱構造と同様、床構造部材Ｆである根太Ｊに固定される支持部材Ｓに背面を支持するように取り付けられる固定側断熱部材２ａと、この固定側断熱部材２ａに端部を嵌合することにより、固定側断熱部材２ａと収納容器本体１１との間で不動に支持されるとともに、収納容器本体１１を除去した状態で、床下収納庫１の開口Ｈの中心側に向けて水平方向（矢示Ａ方向）に移動させることにより、固定側断熱部材２ａから離脱可能にした可動側断熱部材２ｂとで分割構成するようにしている。
【００１７】
そして、本実施例においては、可動側断熱部材２ｂの端部の嵌合部２１を構成する下面２ｂ１、２ｂ２及び鉛直面２ｂ３を下方及び外方側から支持する上面２ａ１、２ａ２及び鉛直面２ａ３を固定側断熱部材２ａの端部に備えるようにしている。
これにより、可動側断熱部材２ｂを、固定側断熱部材２ａと収納容器本体１１との間で確実に不動に支持することができる。
【００１８】
特に、可動側断熱部材２ｂの端部の嵌合部２１を構成する下面２ｂ１、２ｂ２及び鉛直面２ｂ３を、それぞれ段部を設けて構成するとともに、これに対応して固定側断熱部材２ａの端部に備えた上面２ａ１、２ａ２及び鉛直面２ａ３を構成し、嵌合部２１に断熱部材２の外周側と内周側とを一直線状に結ぶ当接面が生じないようにしている。
これにより、固定側断熱部材２ａと可動側断熱部材２ｂとの嵌合部２１における通気を確実に遮断し、断熱性能を一層高めることができる。
【００１９】
そして、可動側断熱部材２ｂの内側（断熱部材２の内周側）の面には、可動側断熱部材２ｂを床下収納庫１の開口Ｈの中心側に向けて水平方向（矢示Ａ方向）に移動させる際に可動側断熱部材２ｂを保持するための凹部２４を形成するようにする。
【００２０】
また、断熱部材２には、その下端に床下収納庫の開口Ｈの中心側に向けて突出する縁部２３を形成するようにする。
この縁部２３は、図１に示すように、床下収納庫の開口Ｈに収納容器本体１１を装着したとき、収納容器本体１１の外周面に接し、断熱材を配設した収納容器本体１１の中蓋１２と協働して、断熱空間を構成し、断熱性能を一層高めることができるようにしている。
ここで、縁部２３には、収納容器本体１１の外周面に縦方向に形成した補強リブ（図示省略）が嵌入する切欠２３ａを形成するようにしているが、補強リブのない収納容器本体１１を用いる場合には、切欠２３ａは設けないようにする。
【００２１】
また、本実施例において、断熱部材２の固定側断熱部材２ａは、分割して形成し、例えば、施工現場で接着剤を用いて嵌合接着部２２を嵌合接着することによって、一体化するようにした（嵌合接着部２２における通気は、接着剤によって遮断されるようにしている。）が、固定側断熱部材２ａを一体成形により形成することもできる。
【００２２】
なお、断熱性能を向上するため、床面を構成する床下収納庫の蓋部１３に断熱材を配設することもできる。
【００２３】
この断熱部材２は、図１に示すように、床下収納庫１の収納容器本体１１の外周部を囲うように配設するようにするが、断熱部材２を、床構造部材Ｆである根太Ｊに固定される支持部材Ｓに背面を支持するように取り付けられる固定側断熱部材２ａと、この固定側断熱部材２ａに端部を嵌合することにより、固定側断熱部材２ａと収納容器本体１１との間で不動に支持される可動側断熱部材２ｂとで構成することにより、断熱部材２の高さ方向の寸法を大きくし、断熱性能を高めることができる。
そして、収納容器本体１１を除去した状態で、分割構成した断熱部材２の可動側断熱部材２ｂを、床下収納庫の開口Ｈの中心側に向けて水平方向（図２（ａ）の矢示Ａ方向）に移動し、固定側断熱部材２ａから離脱させることによって、支持部材Ｓ及び断熱部材２からなる断熱構造がない箇所を形成し、点検のために人が床下収納庫の開口Ｈから床下に入る際の障害とならないようにして、床下収納庫１を床下点検口に兼用できるようにすることができる。
【００２４】
なお、本実施例においては、断熱部材２を構成する可動側断熱部材２ｂを断熱部材２の１箇所に配設し、支持部材Ｓ及び断熱部材２からなる断熱構造がない箇所を床下収納庫１の開口Ｈの１辺に形成するようにしたが、例えば、可動側断熱部材２ｂを断熱部材２の２箇所に配設し、支持部材Ｓ及び断熱部材２からなる断熱構造がない箇所を床下収納庫１の開口Ｈの任意の２辺に形成することもできる。
【００２５】
以上、本発明の床下構造物の断熱構造について、床下収納庫の例に基づいて説明したが、本発明は上記実施例に記載した構成に限定されるものではなく、例えば、床下点検口の点検口の外周部を囲うように断熱部材を配設するようにし、床構造部材の一部を構成する蓋部に配設した断熱部材と協働して断熱機能を持たせるようにした床下点検口の断熱構造にも適用できる等、その趣旨を逸脱しない範囲において適宜その構成を変更することができるものである。
【産業上の利用可能性】
【００２６】
本発明の床下構造物の断熱構造は、断熱部材の高さ方向の寸法を大きくし、断熱性能を高めながら、点検のために人が開口から床下に入る際の障害とならないようにすることができるという特性を有していることから、床下収納庫や床下点検口の用途に好適に用いることができる。
【符号の説明】
【００２７】
Ｆ    床構造部材
Ｈ    床下収納庫（床下構造物）の開口
Ｊ    根太
Ｓ    支持部材
１    床下収納庫（床下構造物）
１１  収納容器本体
１２  中蓋
１３  蓋部
２    断熱部材
２ａ  固定側断熱部材
２ａ１、２ａ２  上面
２ａ３  鉛直面
２ｂ  可動側断熱部材
２ｂ１、２ｂ２  下面
２ｂ３  鉛直面
２１  嵌合部
２２  嵌合接着部
２３  縁部
２４  凹部
【図１】
0005619588.tif 000002
【図２】
0005619588.tif 000003
【図３】
0005619588.tif 000004